(57)【要約】【課題】従来、金属製の内容器と外容器間に空気断熱層を設けた二重カップは公知であるが、全体を二重にしているために電熱器で加熱することはできなかった。また二重カップは製造単価が高くなる。【解決手段】乾電池やパソコンのＵＳＢハブを用いて微弱な電源による電熱器を用いても、二重容器の底の部分を１層として熱吸収をよくするとともに、側面を空気を密封して空気断熱層とする２層構造とすることによって保温効果を高めることができる。【選択図】図２
0003128671.tif 000002
【実用新案登録請求の範囲】
【請求項１】
底板部が１層であり、側面が空気を密封して空気断熱層とする２層である金属製の加熱  保温用二重容器
【請求項２】
外容器と内容器とからなる二重容器において、外容器は底が周縁部を残して開口され、  内容器の底部は下に向かって凸状であってその底板部は外容器の開口より下の位置にあ  る請求項１記載の加熱保温用二重容器
【請求項３】
外容器の底において外容器と内容器との間を弾性合成樹脂リングで密閉している請求項  ２記載の加熱保温用二重容器
【請求項４】
弾性合成樹脂リングの断面がコ字状であることを特徴とする請求項３記載の加熱保温用  二重容器
【考案の詳細な説明】
【技術分野】
【０００１】
本考案は、微弱な熱源による電熱器の上に載置して効率よく加熱保温するための金属製の二重カップ、ポット等の容器に関する。
【背景技術】
【０００２】
乾電池やパソコンのＵＳＢハブを用いて熱源とする電熱器に金属製のカップを載せてコーヒー等を加熱、保温することが行われている。
【０００３】
このような電熱器を用いる場合は、通常の金属製のカップを用いてもよいが、電源からは微弱な電気しか用いることができないために、カップ、ポット自体に保温効果を高めることができればより効率的であるから、二重容器を用いることが望ましいことである。
【考案の開示】
【考案が解決しようとする課題】
【０００４】
しかしながら、二重カップは、内容器と外容器と二重にして熱を伝えにくくし、カップ内の温度を逃さないようにして保温をするものであるから、外側から加熱しても内容器、強いてはその中のコーヒー等にまで熱が伝わりにくく、加熱効率が悪く保温には適してもこのまま加熱用の容器としては適当ではない。
【０００５】
また、二重カップには、魔法瓶のように内容器と外容器との間を真空としするものと、内容器と外容器との間の空気を密封して空気断熱層で保温するものがある。コーヒー等を電熱器で加熱保温するための二重カップやポット等の容器では、後者のタイプで十分な効果が発揮できるため、製造費用が遙かにかかる前者のタイプの二重容器は必要ないが、後者のようなタイプであっても、通常のカップに比較すると製造単価は掛かることになるので、できるだけ簡便な製造方法で低価格なものを提供することが必要がある。
【課題を解決するための手段】
【０００６】
そこで、本考案の第１は、容器の底板部は１層とし、側面は空気を密封して空気断熱層とする２層構造とした金属製の加熱保温用二重容器である。
【０００７】
本考案の第２は、外容器と内容器とからなる二重容器において、外容器は底が周縁部を残して開口され、内容器の底部は下に向かって凸状であってその底板部は外容器の開口より下の位置にある前記本考案の第１の加熱保温用二重容器である。
【０００８】
本考案の第３は、外容器の底において外容器と内容器との間を弾性合成樹脂リングで密閉している前記本考案の第２の加熱保温用二重容器である。
【０００９】
本考案の第４は、弾性合成樹脂リングの断面がコ字状であることを特徴とする前記本校案の第３の加熱保温用二重容器である。
【考案の効果】
【００１０】
本考案によれば、一層構造の底板部６から微弱な電源でも加熱器から効率よく熱を吸収できると共に、二重容器の持つ保温性をそのまま保つことができ、しかも最少の部材で簡単且つ低廉の方法で製造可能な加熱保温用の二重容器を提供できる。
【考案を実施するための最良の形態】
【００１１】
内容器と外容器とは上端部で溶着されており、内容器の底が下向きに凸形状であって、外容器の開口よりも下に突き出ていおり、外容器の開口の周縁部と内容器との間にはわずかな間隔を設けてその部分で両容器が接触することがなく、そこに外側は上下を薄い縁部としている断面コ状のシリコン樹脂リングで内容器と外容器との間を密閉している金属製の加熱保温用二重容器である。
【実施例１】
【００１２】
以下添付図面に従って、１実施例の金属製の二重カップについて説明する。
１は内容器、２は外容器である。内容器１と外容器２によってカップは側面が２層構造となっている。これらの素材としては、ステンレス板、銅板、鉄板、アルミニウム板等の熱伝導度の高い金属が好ましい。厚さは、強度や重量及び加工の難易から１ｍｍ程度のものがよい。
【００１３】
内容器１は、有底の円筒形状であり、図２の断面図の通り、上縁部３ａ、３ａが外方向に緩やかな曲面であり、底部分は下方向に円筒凸状の窪み部５があり、その底板部６は平面である。この底板部６が電熱器９に直接接触して加熱される。
【００１４】
内容器１の上縁部３ａ、３ａの形状は、飲みやすさ、見栄えからすれば、実施例が最適なもであるが、必ずしも図２に示すような外方向に曲面とする必要はない。
【００１５】
この曲面とすることは、内容器１と外容器２との間に空間８を作るためであるから、内容器１又は外容器２若しくは両容器の上縁部を曲面するか、さらに内容器２は下に行くほど外容器よりもより経の小さくなる逆円錐台形とすることでもよい。
【００１６】
内容器１は、特に円筒状であることに限られるのではなく、通常のティーカップのように上部が広くなったり、四角柱、その他多角柱などカップやポット等の容器として使用できる形態であればよい。
【００１７】
内容器１の底面６は平面であるが、これに多重円や渦巻き状等の滑り止めの凹凸を施すことでもよい。
【００１８】
外容器２は、円筒状であり、底は周縁部４、４を残して開口され、この開口に内容器１の窪み部５を通すようになっている。
【００１９】
図２では、この開口の縁部４ａ、４ａと内容器１の窪み部５とはわずかな間隔で接触しないようになっているが、後述の[００２９]で説明するとおり、内容器と外容器をと組み立てる場合に、内容器の窪み部５が外容器の開口に入りやすいように開口を窪み部５よりも大きめにして作業がしやすいようにするためと、この部分で内容器１と外容器２とが接触していなければ、まず内容器１にだけ加熱され、縁部４、４を介して外容器２に熱が伝えられることがないので加熱の効率がよいからである。無論、この間隔なしに開口の縁部４ａ、４ａと内容器１の窪み部５とが接触して密封状態にすることも可能である。
【００２０】
なお、電熱器で加熱保温する場合は、電熱器上部の凹形状である加熱部分に窪み部５を嵌め込むようにして、５図に示すとおり、二重コップを載置することによって、効率よい加熱保温を図ることができるので、窪み部５の底部６が加熱器の加熱面に直接接する程度の高さは必要である。
【００２１】
外容器２の形状は、実施例に限られるものではなく、既述の通りの内容器１の形状に応じて適宜形状を選択できる。またこれに取っ手（図示せず）を付することもできる。また、外容器の外側をプラスチック等で被覆して保温効果をより高めることもできる。
【００２２】
弾性合成樹脂リング７は、断面コ状のリングである。ここで「断面コ状」のリングとは、図３及び図４の通り、弾性合成樹脂製のリングであって、外縁の上外縁部７ａ下外縁部７ｂとが薄い縁取り状となっていることをいう。
【００２３】
弾性合成樹脂リング７は、内容器１と外容器２との間を密閉する。内容器１と外容器２との間の空間８を密封して空気断熱を図ると共に、コップを洗浄する場合に水などが内容器１の窪み部５と外容器２の間にある開口から空間８に入り込まないようにするものである。
【００２４】
したがって、弾性合成樹脂リング７は、その内側では、内容器１の窪み部５の折り曲げ部５ａのところで内容器に密接し、下側では内容器１の窪み部５と外容器２の開口との隙間を塞ぎ、外縁部７ｂが外容器の底部の形状に添って適宜曲がって密着し、上外縁部７ａの先端が外容器２に密着している。
【００２５】
なお、弾性合成樹脂７は、シリコン樹脂が最適であるが、シリコン樹脂のように柔軟な素材であれば、単なるリング形状（図示せず）であっても、強く押し込むことによって、弾性合成樹脂リング７が密着材としての機能を発揮することは可能である。
【００２６】
断面コ状とすることによって、図２に示すように、弾性合成樹脂リング７に多少大きさや形状に不揃いな場合であっても、外容器の形状に添って容易に密着させることが可能となり、製造においても能率を図ることができるので、このような形状とするこが有利である。
【００２７】
弾性合成樹脂リング７は、既述のシリコン樹脂やこれ以外の熱にある程度耐えられ、また可塑性のあるその他の弾性合成樹脂及びこれと同様の機能をもつ材料で作成してもよい。
【００２８】
なお、[００１８]で説明したように、外容器２の開口の縁部４ａ、４ａと内容器１の窪み部５とが接触するようにして当該の開口と窪み部５とを嵌着して密封状態にすれば弾性合成樹脂リング７を用いる必要はない。
【００２９】
本考案による二重容器は、内容器１の底部の窪み部５に弾性合成樹脂リング７を嵌着した状態で外容器２に嵌め込み、内容器１、弾性合成樹脂リング７及び外容器２が密着するようにして、さらに両容器の上端３を溶着して完成することができる。このように、最少の部材と簡単な作業で製造ができ、低廉な価格で提供可能である。
【００３０】
図５は、本考案の二重カップを加熱器に設置した状態を示す正面図である。電熱器１１は市販のＵＳＢカップウォーマーを用いることも、また乾電池を電源とする電熱器を用いることができる。
【００３１】
図６は、本考案に係る二重カップで蓋ありと蓋なしで電熱器（ヒーター）を用いた場合（図６では、「２層（側面）底１重ヒーター有り蓋有り」と「２層（側面）底１重ヒーター有り」）と、その他「全体２層ヒーター無し」すなわち通常の二重カップの場合及び通常のカップでヒーター有りと無しとに関して温度変化を経時的に表したグラフである。
【００３２】
本考案に係る蓋付き若しくは蓋無しの二重カップであれば保温効果が、従来の二重及び通常のカップに比較して、十分に発揮されることが明確に理解できるものである。
【図面の簡単な説明】
【００３３】
【図１】本考案に係る金属製二重カップの斜視図である。
【図２】図１における中央長手方向の断面図である。
【図３】弾性合成樹脂リングの斜視図である。
【図４】同部分拡大断面図である。
【図５】本考案の実施形態を示す正面図である。
【図６】温度変化を示すグラフである。
【符号の説明】
【００３４】
１・・・内容器
２・・・外容器
３・・・上端部
３ａ・・内容器の上縁部
４・・・周縁部
５・・・窪み部
６・・・底板部
７・・・弾性合成樹脂リング
７ａ・・上外縁部
７ｂ・・下外縁部
８・・・空間部
９・・・電熱器
１０・・スイッチ
１１・・脚部
【図１】
0003128671.tif 000003
【図２】
0003128671.tif 000004
【図３】
0003128671.tif 000005
【図４】
0003128671.tif 000006
【図５】
0003128671.tif 000007
【図６】
0003128671.tif 000008